(57)【特許請求の範囲】
【請求項１】
下記脂肪酸Ｎ−メチルタウリン塩（Ａ）を１０〜４０重量％、脂肪酸トリエタノールアミン塩（Ｂ）を１〜１０重量％及び多価アルコール（Ｃ）を１０〜３５重量％配合し、ペースト状剤形を有することを特徴とする洗浄剤組成物。
（Ａ）一般式
Ｒ−ＣＯＯ-Ｈ2Ｎ+（ＣＨ3）−ＣＨ2−ＣＨ2−ＳＯ3-Ｘ+
（但し、式中Ｒは炭素数７〜２３の飽和又は不飽和の炭化水素基、Ｘはアルカリ金属塩を表す。）で表される脂肪酸Ｎ−メチルタウリン塩
（Ｂ）一般式
Ｒ−ＣＯＯ-Ｎ+（ＣＨ2ＣＨ2ＯＨ）3
（但し、式中Ｒは炭素数７〜２３の飽和又は不飽和の炭化水素基を表す。）で表される脂肪酸トリエタノールアミン塩
（Ｃ）多価アルコール
【請求項２】
前記多価アルコールは、１，２−プロパンジオール、１，３−プロパンジオール、１，２−ブタンジオール、１，３−ブタンジオール、１，４−ブタンジオール、ジプロピレングリコール、グリセリン、ジグリセリン、ソルビタン、ソルビトール、マルチトール、グルコース及びスクロースから選択されたものであることを特徴とする請求項１項記載の洗浄剤組成物。
【発明の詳細な説明】
【０００１】
【発明の属する技術分野】
本発明は、脂肪酸のＮ−メチルタウリン塩と、脂肪酸トリエタノールアミン塩と、多価アルコールとを配合したペースト状洗浄剤組成物に関する。
【０００２】
【従来の技術】
従来、泡立ちや泡質を向上させる目的でクレンジングフォーム、ボディーシャンプー、シャンプーなどの洗浄料に石鹸が多く用いられてきた。このうち、最も多く用いられてきたのは、脂肪酸のナトリウム、カリウムなどのアルカリ金属塩石鹸であるが、これらは、コストが安いうえ、泡立ちが良く、泡質もクリーミーであるという長所を有している反面、中性での泡立ちが悪く、きしみ感や使用後につっぱり感を有するなどの欠点があった。
【０００３】
また、中性付近での泡立ちやきしみ感に配慮して脂肪酸のトリエタノールアミンやリジンなどの弱塩基による石鹸も利用されてきたが、弱塩基部分によるアミン臭が出る、泡質が悪くなりさっぱり感が得られにくい、溶解点（クラフト点）が低く固形の製品に配合できないなどの問題点を有していた。
【０００４】
【発明が解決しようとする課題】
本発明者らはかかる事情に鑑みて鋭意研究を重ねた結果、脂肪酸のＮ−メチルタウリンアルカリ金属塩又はＮ−メチルタウリン有機アルカリ塩を必須成分として配合した洗浄剤組成物が、泡立ち、泡質ともに良く、泡立ちのｐＨ依存性が少なく、きしみ感やつっぱり感がないうえに、悪臭が出ないなどの点で、従来と比較して優れていることを見出した。しかし、このような組成物は固形状、液状剤形には適した物性を示すものの、水溶けや泡立ち等の使用特性の良さから洗顔料などで好まれるペースト状剤形には適していないという欠点を有していた。
【０００５】
本発明者らは、前記技術的課題を達成すべく鋭意研究を重ねた結果、脂肪酸のＮ−メチルタウリン塩と、脂肪酸トリエタノールアミン塩と、多価アルコールとを配合した洗浄剤組成物が、ペースト状の外観を呈し、水溶けが良い或いは泡立ちが良いといった使用特性に優れていることを見出し、本発明を完成するに至った。
【０００６】
本発明の目的は、ペースト状の外観を呈し、水溶けが良い或いは泡立ちが良いといった使用特性に優れた洗浄剤組成物を提供することを目的とする。
【０００７】
【課題を解決するための手段】
すなわち、本発明は、下記脂肪酸Ｎ−メチルタウリン塩（Ａ）を１０〜４０重量％、脂肪酸トリエタノールアミン塩（Ｂ）を１〜１０重量％及び多価アルコール（Ｃ）を１０〜３５重量％配合し、ペースト状剤形を有することを特徴とする洗浄剤組成物を提供するものである。
（Ａ）一般式
Ｒ−ＣＯＯ-Ｈ2Ｎ+（ＣＨ3）−ＣＨ2−ＣＨ2−ＳＯ3-Ｘ+
（但し、式中Ｒは炭素数７〜２３の飽和又は不飽和の炭化水素基、Ｘはアルカリ金属塩を表す。）で表される脂肪酸Ｎ−メチルタウリン塩
（Ｂ）一般式
Ｒ−ＣＯＯ-Ｎ+（ＣＨ2ＣＨ2ＯＨ）3
（但し、式中Ｒは炭素数７〜２３の飽和又は不飽和の炭化水素基を表す。）で表される脂肪酸トリエタノールアミン塩
（Ｃ）多価アルコール
【００１０】
さらに、本発明は、前記多価アルコールは、１，２−プロパンジオール、１，３−プロパンジオール、１，２−ブタンジオール、１，３−ブタンジオール、１，４−ブタンジオール、ジプロピレングリコール、グリセリン、ジグリセリン、ソルビタン、ソルビトール、マルチトール、グルコース及びスクロースから選択されたものであることを特徴とする上記記載の洗浄剤組成物を提供するものである。
【００１１】
【発明の実施の形態】
以下、本発明を詳細に説明する。
【００１２】
本発明の洗浄剤組成物に必須成分（Ａ）として配合する、一般式
Ｒ−ＣＯＯ−Ｈ２Ｎ＋（ＣＨ３）−ＣＨ２−ＣＨ２−ＳＯ３−Ｘ＋
で表される脂肪酸Ｎ−メチルタウリン塩において、式中のＲは炭素数７〜２３の飽和又は不飽和の炭化水素基を表し、その具体例としては、例えば、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、テトラエイコシル基などの直鎖状飽和炭化水素基、２−メチルヘプタデシル基、２−エチルペンチル基などの分枝飽和炭化水素基、８−ヘプタデセニル基、オレイル基、４，６−オクタデカジエニル基などの直鎖不飽和炭化水素基、２−メチルオクタデカ−６−エニル基などの分枝不飽和炭化水素基などが挙げられる。
【００１３】
また、式中のＸはアルカリ金属を表し、例えば、ナトリウム、カリウム、リチウムなどが挙げられる。
【００１４】
脂肪酸Ｎ−メチルタウリン塩（Ａ）の製造方法は、例えば、約８０℃にて脂肪酸を溶解し、これにＮ−メチルタウリン塩の水溶液を撹拌しながら加えるか、Ｎ−メチルタウリン水溶液と他のアルカリの水溶液をそれぞれ別々に撹拌しながら加える方法などがある。
【００１５】
脂肪酸Ｎ−メチルタウリン塩（Ａ）の配合量は１０〜４０重量％である。
【００１６】
本発明の洗浄剤組成物に必須成分（Ｂ）として配合する、一般式
Ｒ−ＣＯＯ-Ｎ+（ＣＨ2ＣＨ2ＯＨ）3
で表される脂肪酸トリエタノールアミン塩において、式中のＲは必須成分（Ａ）における定義と同様に炭素数７〜２３の飽和又は不飽和の炭化水素基を表し、前述した具体例が挙げられる。
【００１７】
また、式中のＹはアルカリ金属を表し、例えば、ナトリウム、カリウム、リチウムなどが挙げられる。
【００１８】
脂肪酸トリエタノールアミン塩（Ｂ）の配合量は１〜１０重量％である。
【００１９】
本発明の洗浄剤組成物に必須成分（Ｃ）として配合する多価アルコールとしては、例えば、１，２−プロパンジオール、１，３−プロパンジオール、１，２−ブタンジオール、１，３−ブタンジオール、１，４−ブタンジオール、ジプロピレングリコール、グリセリン、ジグリセリン、ソルビタン、ソルビトール、マルチトール、グルコース、スクロースなどが挙げられる。
【００２０】
多価アルコール（Ｃ）の配合量は１０〜３５重量％である。
【００２１】
本発明の洗浄剤組成物とは、あるものに対して、洗浄作用を発揮できる組成物を言い、洗浄されるべきものは制限されないが、好ましくは、化粧品、医薬部外品など身体に適用される洗浄剤を指し、上記必須成分に加えて必要により、通常洗浄剤組成物に含まれる石鹸、アルキル硫酸エステル（塩）、ポリオキシエチレンアルキルエーテル硫酸（塩）、ヒドロキシアルキルエーテルカルボン酸（塩）などのアニオン界面活性剤、イミダゾリン系両性界面活性剤、ベタイン系両性界面活性剤などの両性界面活性剤、ポリオキシエチレンアルキルエーテル、ポリオキシエチレン脂肪酸エステル、ショ糖脂肪酸エステル、アルキルグリコシド、マルチトールヒドロキシ脂肪族エーテルなどの非イオン界面活性剤、トリメチルアルキルアンモニウムクロライドなどのカチオン界面活性剤、グリセリン、１，３−ブチレングリコール、ジプロピレングリコールなどの保湿剤、センブリ、シャクヤク、イリス、スギナなどの植物抽出成分、トラネキサム酸、アルブチンなどの薬剤、香料、防腐剤など他の成分を適宜配合することができる。
【００２２】
【実施例】
以下、実施例によって本発明をさらに詳細に説明する。なお、本発明は以下の実施例に限定されるものではない。
【００２３】
「実施例１〜１４、比較例１〜６」
表１〜３に示す配合量（重量％）で各成分を配合して試料を調製した。調製した試料を以下の評価方法及び評価基準により評価した。
【００２４】
１）ペースト剤形評価
調製した試料を外観目視により判定した。
Ｐ：ペースト状
Ｌ：液状
Ｓ：固形状
【００２５】
２）泡立ち（速泡力）評価
すり栓付き内径３ｃｍ、高さ２０ｃｍのネスラー管に７０ｐｐｍの塩化カルシウムを溶解したイオン交換水に、各試料０．５ｇを静かに添加した。この状態で３０℃に保ち、振り子式しんとう機により１秒間に１回の割合で９０°傾けた。しんとうを３０秒間続けた後、試料の入ったネスラー管を取り出し、泡の高さを測定した。
◎：泡の高さが１５ｃｍ以上
○：泡の高さが１０〜１５ｃｍ
△：泡の高さが５〜１０ｃｍ
×：泡の高さが５ｃｍ以下
【００２６】
３）使用感触（つっぱり感）評価
調製した試料を用いた実使用試験を専門パネラー２０名により実施した。判定は、すすぎ直後の肌感触を以下の基準に従い行った。
○：専門パネラー２０名中、１５名以上が肌がつっぱらず良好であると認めた。
△：専門パネラー２０名中、１０〜１５名が肌がつっぱらず良好であると認めた。
×：専門パネラー２０名中、１０名以下がつっぱらず良好であると認めた。
【００２７】
【表１】
0003590529.tif 000002
【００２８】
【表２】
0003590529.tif 000003
【００２９】
【表３】
0003590529.tif 000004
【００３５】
【発明の効果】
以上説明したように本発明の洗浄剤組成物は、脂肪酸のＮ−メチルタウリン塩と、脂肪酸トリエタノールアミン塩と、多価アルコールとを配合したことにより、ペースト状の外観を呈し、水溶けが良い或いは泡立ちが良いといった使用特性に優れている。